(57)【特許請求の範囲】
【請求項１】
洗面台等に固定される支持部材と、該支持部材の挿孔に摺動自在に挿通して支持されるスライドパイプと、該スライドパイプの上端部に固定されシャワーヘッドを引出し自在に支持するホルダーとを備えたシャワーヘッドの支持装置において、前記スライドパイプの外周面に上下に間隔をおいて雄セレーションをそれぞれ全周に刻設し、前記支持部材の上端に挿孔より大径とした内溝部を環状に形成し、該内溝部には前記スライドパイプの各雄セレーションと上下高さ位置でそれぞれ噛み合う雌セレーションと切欠部とが形成された環状のリングを装着し、前記雌セレーションはリングの内周面全体に刻設され、スライドパイプの雄セレーションに弾力的に噛み合うことを特徴とするシャワーヘッドの支持装置。
【発明の詳細な説明】
【０００１】
【発明の属する技術分野】
この発明は洗面台や流し台等に取付けられて、シャワーヘッドの高さを調節することで洗髪等を行うようにしたシャワーヘッドの支持装置に関するものである。
【０００２】
【従来の技術】
従来、洗面台等に水栓本体と共に吐水部材を取付け、該吐水部材の先端に支持したシャワーヘッドの高さを調節自在にすることにより洗髪等ができるようにしたシャワーヘッドの支持装置において、シャワーヘッドが不用意に回転して湯水が洗面ボウルからはみ出すことがないようにしたものとして特開平１１−１５８９５５号公報の図２乃至図４（本願図面の図５乃至図７）のものがある。この図５乃至図７について簡単に説明すると、洗面台等の天板３０に水栓本体３１と吐水部材３３が間隔をおいて取付けられており、水栓本体３１には湯水の温度及び流量を調節するためのハンドル３２が設けられ、該ハンドル３２の操作で調節された湯水は、天板３０の下部で垂れ下がったホース３４により、吐水部材３３のシャワーヘッド３５へ供給される。
【０００３】
前記吐水部材３３は、湯水を供給するシャワーヘッド３５と、該シャワーヘッド３５の下部に一体化され内部をホース３４が挿通する支持管部３６と、該支持管部３６を抜差し自在でかつ回転自在に支持するとともに、天板３０に取付けられる基部保持体３８とからなり、該基部保持体３８は台座キャップ３９の内部に、止水のためのパッキン４０と、支持管部３６の上下に形成された環状溝３７，３７ａに嵌合することで支持管部３６を上下に位置決めするための位置保持部材４１と、後述する摺接部材４２と、押圧部材４３とが組み込まれている。
【０００４】
前記摺接部材４２は支持管部３６の自由な回転を規制するもので、図７に示すように、リングを３分割した形態の円弧形状の３つの摺接片４２ａと、該摺接片４２ａの外周に形成された環状の溝４２ｂに装着されて、各摺接片４２ａを縮径方向に締付けるリング状のコイルスプリング４２ｃとからなり、摺接部材４２は押圧部材４３と共に台座キャップ３９の内部に収容され、摺接片４２ａの内周面を支持管部３６の外周面に摩擦接触させ、支持管部３６が不用意に回転しないようにしている。
【０００５】
従って、シャワーヘッド３５に回転力を加えると、支持管部３６は摺接部材４２の各摺接片４２ａの摩擦抵抗を受けながら回転するものである。
【０００６】
上記のものにあっては、シャワーヘッドの不用意な回転を防止するには、台座キャップの内部に多数の部品を組立てた状態で収容する必要があり、部品点数が著しく増加してしまううえ、組立作業が面倒でありコストアップになるという問題が生じていた。
【０００７】
【発明が解決しようとする課題】
本発明が解決しようとする課題は、洗面台等でホルダーの高さを調節することで洗髪等を行うようにしたシャワーヘッドの支持装置において、ホルダーが不用意に回転するのを簡略な構造で防止できるようにすることである。
【０００８】
【課題を解決するための手段】
本発明は請求項１では、洗面台等に固定される支持部材と、該支持部材の挿孔に摺動自在に挿通して支持されるスライドパイプと、該スライドパイプの上端部に固定されシャワーヘッドを引出し自在に支持するホルダーとを備えたシャワーヘッドの支持装置において、前記スライドパイプの外周面に上下に間隔をおいて雄セレーションをそれぞれ全周に刻設し、前記支持部材の上端に挿孔より大径とした内溝部を環状に形成し、該内溝部には前記スライドパイプの各雄セレーションと上下高さ位置でそれぞれ噛み合う雌セレーションと切欠部とが形成された環状のリングを装着し、前記雌セレーションはリングの内周面全体に刻設され、スライドパイプの雄セレーションに弾力的に噛み合うものである。
【０００９】
【発明の実施の形態】
以下、本発明の実施の形態を図に基づいて詳細に説明する。
本発明の実施例は図１及び図２に示すように、支持部材４は合成樹脂の成形による略円筒状で、内部には後述するスライドパイプ１６を上下に挿通する挿孔５を穿設し、上端内周には該挿孔５より大径とした環状の内溝部６を形成し、下端にはストッパー７を爪状に形成し、該ストッパー７は内方へ突出して周方向へ弾性変形可能であり、この支持部材４は外周面に形成した雄ねじ部８に洗面台等の天板１の下部から固定ナット３を螺着することで、天板１の取付孔２に固定されている。なお、支持部材は洗面台の壁面に固定してもよい。
【００１０】
別に設けたリング１０は図３に示すように合成樹脂材の成形により環状で、外周面の一部から外方向へ突出して突部１１を形成し、該突部１１と向かい合う外周面の一部を縦方向に切除して切欠部１２を形成することにより収縮自在にすると共に、内周面の全面にわたって縦方向に雌セレーション１３が刻設されている。
【００１１】
従って、リング１０を支持部材４に装着するには、図４に示すように突部１１を内溝部６から突出して形成した凹部６ａに嵌合し、前記切欠部１２により収縮させた状態で挿入するものであり、リング１０はスライドパイプ１６の外周面に弾力的に外嵌し、リング１０を上部から押圧する座金１４をリング１０の上に重ね合わせ、湯水が天板１の下部に浸入しないようにするためのシールリング１５を保護キャップ９に挿入し、該保護キャップ９を支持部材４に上部から螺着することで、前記内溝部６に固定される。
【００１２】
前記スライドパイプ１６は円柱状であり合成樹脂材による一体成形で、内部にシャワーヘッド２２と連結するホース２１を挿通し、上下中間部と上部の外周面に間隔をおいて、前記リング１０の雌セレーション１３と嵌合する回転方向の位置決め用の雄セレーション１７，１７ａをそれぞれ全周に刻設している。
【００１３】
また、スライドパイプ１６の下端部周面には環状に突出したフランジ部１８と、前記支持部材４のストッパー７がフランジ部１８を乗り越え、弾力的に係合する環状溝１９を形成し、このスライドパイプ１６は支持部材４に対し上下に摺動し、左右に回転自在である。
【００１４】
前記スライドパイプ１６の上端にはホルダー２０が装着され、該ホルダー２０は合成樹脂の一体成形によるもので、傾斜方向に湾曲した先端にシャワーヘッド２２を引出し自在に支持している。またシャワーヘッド２２の先端には、湯水の流路を直流水または散水に切替えるためのボタン２３が設けられている。
【００１５】
いま、図１に示す定位置にあるホルダー２０を手に握り、力を加えて左右へ回転させると、スライドパイプ１６の雄セレーション１７ａがリング１０の雌セレーション１３に噛み合いながら回転し、その噛み合わせ位置が変更される度に適度の節度感を付与されながら回転し、シャワーヘッド２２の吐水方向を任意の位置に変更してその吐水位置を保持することができる。
【００１６】
また、支持部材４とスライドパイプ１６は互いのセレーション１３，１７ａにより噛み合っているので、シャワーヘッド２２からの湯水吐水時の反力や、手が触れた程度の軽い外圧では左右へ回転することはなく、その位置を安定的に保持している。従ってシャワーヘッド２２から吐水される湯水が洗面台の周囲に飛び散って水浸しにしたり、シャワーヘッド２２やホルダー２０が天板１の周囲に置かれている物品に衝突するのを確実に防止することができる。
【００１７】
次にシャワーヘッド２２を洗髪を行うのに必要な高さに調節するには、ホルダー２０を手で握りながらスライドパイプ１６と共に上方へ引上げると、図２に示すようにスライドパイプ１６のフランジ部１８は支持部材４のストッパー７を押し広げ、該ストッパー７が環状溝１９に弾力的に係合したところの高さで安定的に保持される。この時支持部材４の内溝部６に装着されているリング１０は、収縮方向に作用しているので、ホルダー２０を回転させると支持部材４とスライドパイプ１６の互いのセレーション１３，１７が噛み合い、適度の節度感を付与されながら回転する。
【００１８】
洗髪終了後はホルダー２０を手に握り、下方に向けて強く押し下げれば、スライドパイプ１６のフランジ部１８は支持部材４のストッパー７を押し広げ、スライドパイプ１６は下方へ移動しシャワーヘッド２２を図１に示す定位置に戻すことができる。
【００１９】
【発明の効果】
本発明では洗面台等に固定される支持部材と、該支持部材の挿孔に摺動自在に挿通して支持されるスライドパイプと、該スライドパイプの上端部に固定されシャワーヘッドを引出し自在に支持するホルダーとを備えたシャワーヘッドの支持装置において、前記スライドパイプの外周面に上下に間隔をおいて雄セレーションをそれぞれ全周に刻設し、前記支持部材の上端に挿孔より大径とした内溝部を環状に形成し、該内溝部には前記スライドパイプの各雄セレーションと上下高さ位置でそれぞれ噛み合う雌セレーションと切欠部とが形成された環状のリングを装着し、前記雌セレーションはリングの内周面全体に刻設され、スライドパイプの雄セレーションに弾力的に噛み合うようにした。従って節度感をもってシャワーヘッドを回転させるためには、一体成形されたリングを支持部材に装着するだけでよく、簡単な構造で部品点数を少なくすることで組立時の作業性が向上するうえ、分解，交換等を容易に行うことができる。
【図面の簡単な説明】
【図１】  天板に本発明のシャワーヘッドの支持装置を取付けた状態を示す一部破断した縦断面図である。
【図２】  図１のシャワーヘッドの支持装置を引上げた状態の一部破断した縦断面図である。
【図３】  リングの拡大斜視図である。
【図４】  図１のＡ−Ａ線の拡大平断面図である。
【図５】  従来技術の説明図である。
【図６】  図６の要部を拡大して示す断面図である。
【図７】  図６に示す要部を各部材に分解して示す説明図である。
【符号の説明】
４                  支持部材
５                  挿孔
６                  内溝部
９                  保護キャップ
１０                リング
１２                切欠部
１３                雌セレーション
１６                スライドパイプ
１７，１７ａ        雄セレーション
２０                ホルダー
２２                シャワーヘッド
【図１】
0003788919.tif 000002
【図２】
0003788919.tif 000003
【図３】
0003788919.tif 000004
【図４】
0003788919.tif 000005
【図５】
0003788919.tif 000006
【図６】
0003788919.tif 000007
【図７】
0003788919.tif 000008